(57)【要約】【課題】交換性を向上させることができるよう軽量化したフィルタ装置、フィルタ装置の交換方法及びフィルタ装置の製造方法を提供する。【解決手段】網目を有する金網に、一方向に延在する山部と谷部とが、前記一方向に交わる交差方向に亘って交互に形成された波形状のフィルタ濾材２０と、フィルタ濾材２０の一方向の両側端部２１に重ね合わせて接合され、前記交差方向に延在して設けられる補強部材３０と、フィルタ濾材２０を囲う枠材４０と、フィルタ濾材２０と枠材４０との当接部を接着固定する接着剤５０と、を備える。【選択図】図１
2019136626.tif 000002
【特許請求の範囲】
【請求項１】
網目を有する金網に、一方向に延在する山部と谷部とが、前記一方向に交わる交差方向に亘って交互に形成された波形状のフィルタ濾材と、
前記フィルタ濾材の前記一方向の両側端部に重ね合わせて接合され、前記交差方向に延在して設けられる補強部材と、
前記フィルタ濾材を囲う枠材と、
前記フィルタ濾材と前記枠材との当接部を接着固定する接着剤と、を備えるフィルタ装置。
【請求項２】
前記枠材は、前記フィルタ濾材との前記当接部に形成される溝を有する請求項１に記載のフィルタ装置。
【請求項３】
前記補強部材は、前記フィルタ濾材よりも粗目の網目を有する金網である請求項１又は２に記載のフィルタ装置。
【請求項４】
前記補強部材の前記網目は、１００メッシュ以上である請求項３に記載のフィルタ装置。
【請求項５】
前記フィルタ濾材の前記山部及び前記谷部の形状に沿って前記一方向に延在して設けられ、前記山部及び前記谷部が外側に突出する突出方向の内側に当接して設けられる棒状部材を、さらに備える請求項１から４のいずれか一項に記載のフィルタ装置。
【請求項６】
前記棒状部材は、前記フィルタ濾材の前記山部及び前記谷部と当接する当接面が柱面となっている請求項５に記載のフィルタ装置。
【請求項７】
前記フィルタ濾材の前記交差方向の両側端部は、前記枠材に溶接されている請求項１から６のいずれか一項に記載のフィルタ装置。
【請求項８】
前記フィルタ濾材の前記交差方向の両側端部は、前記枠材にカシメ加工によって固定されている請求項１から６のいずれか一項に記載のフィルタ装置。
【請求項９】
前記枠材の開口方向の両面にシール材を備える請求項１から８のいずれか一項に記載のフィルタ装置。
【請求項１０】
前記枠材の下面に設けられたキャスターを、さらに有する請求項１から９のいずれか一項に記載のフィルタ装置。
【請求項１１】
請求項１０に記載のフィルタ装置の交換方法であって、
前記フィルタ装置の運搬経路の床面には、前記キャスターに係合する案内レールが予め設けられており、
前記案内レールに前記キャスターを係合させ、前記案内レールに沿って前記キャスターを移動させることによって前記フィルタ装置を運搬する工程を含むフィルタ装置の交換方法。
【請求項１２】
前記案内レールは、前記フィルタ装置が設置される設置面に対して平行な第１レールと、前記第１レールから分岐して設けられ、前記設置面と前記フィルタ装置とが対向する方向に延びる第２レールと、を有する請求項１１に記載のフィルタ装置の交換方法。
【請求項１３】
網目を有する金網の一方向の両側端部に、前記一方向に交わる交差方向に延在する補強部材を重ね合わせ、前記金網と前記補強部材とを接合する補強工程と、
前記補強部材が接合された前記金網に対して、前記一方向に延在する山部と谷部とを、前記交差方向に亘って交互に形成することで、波形状のフィルタ濾材を成形する成形工程と、
前記フィルタ濾材を囲うように枠材を配置する枠材配置工程と、
前記フィルタ濾材と前記枠材との当接部に接着剤を充填して、前記フィルタ濾材と前記枠材とを接着固定する接着工程と、を有するフィルタ装置の製造方法。
【請求項１４】
前記枠材配置工程より前に、前記枠材の前記当接部に溝を加工する溝加工工程を有し、
前記枠材配置工程では、前記フィルタ濾材を前記枠材の前記溝に挿し込み、
前記接着工程では、前記溝に前記接着剤を充填する請求項１３に記載のフィルタ装置の製造方法。
【請求項１５】
前記一方向に延在する柱面形状の凸部と凹部とを、前記交差方向に亘って交互に有する波形状の雄治具と、前記雄治具の前記凸部及び凹部に係合する凹部及び凸部を有する雌治具とを備え、
前記成形工程では、前記雄治具と前記雌治具との間に前記金網を挟んで、前記雄治具を前記雌治具に押圧することによって、前記フィルタ濾材を成形する請求項１３又は１４に記載のフィルタ装置の製造方法。
【請求項１６】
前記一方向に延在する凸部と凹部とを、前記交差方向に亘って交互に有する波形状の雄治具と、前記雄治具の前記凸部及び凹部に係合する凹部及び凸部を有する雌治具と、前記雄治具及び前記雌治具の凸部に柱面を有する棒状部材を備え、
前記成形工程では、前記雄治具と前記雌治具との間に前記金網を挟んで、前記雄治具を前記雌治具に押圧することによって、前記フィルタ濾材を成形し、前記棒状部材が、前記フィルタ濾材の前記山部及び前記谷部が外側に突出する突出方向の内側に固着される請求項１３又は１４に記載のフィルタ装置の製造方法。
【発明の詳細な説明】
【技術分野】
【０００１】
本発明は、フィルタ装置、フィルタ装置の交換方法及びフィルタ装置の製造方法に関する。
【背景技術】
【０００２】
従来、空調設備、ガスタービン又は発電機等の吸気口に取り付けられ、外気の塵埃又は火山灰等の浮遊粒状物質を捕集する多種多様なフィルタ装置が知られている。例えば特許文献１には、平板状のフィルタ濾材をプリーツ形状にして、空気の通過面積に対して濾材面積を大きくしたフィルタ装置の一例が記載されている。
【先行技術文献】
【特許文献】
【０００３】
【特許文献１】特開２０１４−１１７６３３号公報
【発明の概要】
【発明が解決しようとする課題】
【０００４】
ところで、フィルタ装置は、フィルタ濾材と枠材とをホットメルト等の接着剤で隙無く塞ぐことによって空気の漏出を防いでいる。しかしながら、従来のフィルタ装置では、フィルタ濾材のプリーツ形状を維持するために、枠材の内側全体に接着剤が塗布されている。すなわち、枠材の内側においてフィルタ濾材との当接部以外にも余分に接着剤が塗布されているため、接着剤の使用量が多くなり、フィルタ装置全体が重くなって交換性が低下する。
【０００５】
本発明は、上記に鑑みてなされたものであって、交換性を向上させることができるよう軽量化したフィルタ装置、フィルタ装置の交換方法及びフィルタ装置の製造方法を提供することを目的とする。
【課題を解決するための手段】
【０００６】
本発明のフィルタ装置は、網目を有する金網に、一方向に延在する山部と谷部とが、前記一方向に交わる交差方向に亘って交互に形成された波形状のフィルタ濾材と、前記フィルタ濾材の前記一方向の両側端部に重ね合わせて接合され、前記交差方向に延在して設けられる補強部材と、前記フィルタ濾材を囲う枠材と、前記フィルタ濾材と前記枠材との当接部を接着固定する接着剤と、を備えることを特徴とする。
【０００７】
この構成によれば、フィルタ濾材及び補強部材の剛性によって波形状を維持するため、フィルタ濾材と枠材との当接部のみに接着剤を使用するだけでよく、接着剤の使用量を最小限に抑えることができ、大幅な軽量化が可能となる。これにより、フィルタ装置の運搬及び交換作業が容易となり、作業時間を短縮できる。また、接着剤の使用量を抑制し作業時間を短縮することによってコストを低減できる。さらに、フィルタ濾材に金網を適用することにより、フィルタ濾材が目詰まりした場合に、エアブロー、振動及び加振により、付着物を落下させることが容易であり、再利用が可能である。
【０００８】
また、前記枠材は、前記フィルタ濾材との前記当接部に形成される溝を有することが好ましい。
【０００９】
この構成によれば、フィルタ濾材を枠材に接着固定する際の位置決めを容易にすることが可能である。また、フィルタ濾材と枠材との間に接着剤を適切に充填できることから、溝（当接部）以外への接着剤の充填を省くことができ、より軽量化を図ることが可能である。
【００１０】
また、前記補強部材は、前記フィルタ濾材よりも粗目の網目を有する金網であることが好ましい。
【００１１】
この構成によれば、板材を使用する場合に比べ、さらに軽量化することが可能である。また、補強部材においても流体が通過可能となる。さらに、網目の粗い金網とすることで、線径の太い線材を用いて金網を構成できるため、補強部材を、フィルタ濾材よりも剛性の高いものにすることができる。
【００１２】
また、前記補強部材の前記網目は、１００メッシュ以上であることが好ましい。
【００１３】
この構成によれば、補強部材によってフィルタ濾材の波形状を好適に維持することができる。
【００１４】
また、前記フィルタ濾材の前記山部及び前記谷部の形状に沿って前記一方向に延在して設けられ、前記山部及び前記谷部が外側に突出する突出方向の内側に当接して設けられる棒状部材を、さらに備えることが好ましい。
【００１５】
この構成によれば、棒状部材によってフィルタ濾材の波形状を好適に維持することができる。また、フィルタ濾材を波形状に成形する際に、フィルタ濾材を均一な波形状に成形することができる。
【００１６】
また、前記棒状部材は、前記フィルタ濾材の前記山部及び前記谷部と当接する当接面が柱面となっていることが好ましい。
【００１７】
この構成によれば、フィルタ濾材を波形状に成形する際に、フィルタ濾材が傷つかないようにすることができる。
【００１８】
また、前記フィルタ濾材の前記交差方向の両側端部は、前記枠材に溶接されていることが好ましい。
【００１９】
この構成によれば、フィルタ濾材の剛性を向上させることができる。
【００２０】
また、前記フィルタ濾材の前記交差方向の両側端部は、前記枠材にカシメ加工によって固定されていることが好ましい。
【００２１】
この構成によれば、フィルタ濾材の剛性を向上させることができる。
【００２２】
また、前記枠材の開口方向の両面にシール材を備えることが好ましい。
【００２３】
この構成によれば、フィルタ装置が設置される対象物の設置面に対していずれの面であっても装着可能であり、また、本発明のフィルタ濾材は、その表裏面が同等の機能を有することから、空気が流通する流通方向において、表裏面のいずれの面が上流側又は下流側になっても配置できる。また、一方のシール材が破損した際に、他方のシール材を使用することができるので、シール材の損傷リスクを低減することが可能である。また、取り付け時の人為的なミスによる不具合を防止できる。
【００２４】
また、前記枠材の下面に設けられたキャスターを、さらに有することが好ましい。
【００２５】
この構成によれば、フィルタ装置の交換時にフィルタ装置の運搬が容易となる。
【００２６】
また、本発明のフィルタ装置の交換方法は、前記フィルタ装置の運搬経路の床面には、前記キャスターに係合する案内レールが予め設けられており、前記案内レールに前記キャスターを係合させ、前記案内レールに沿って前記キャスターを移動させることによって前記フィルタ装置を運搬する工程を含むことを特徴とする。
【００２７】
この構成によれば、フィルタ装置の運搬がさらに容易となる。
【００２８】
また、前記案内レールは、前記フィルタ装置が設置される設置面に対して平行な第１レールと、前記第１レールから分岐して設けられ、前記設置面と前記フィルタ装置とが対向する方向に延びる第２レールと、を有することが好ましい。
【００２９】
この構成によれば、フィルタ装置の設置面に対してフィルタ装置の開口方向の端面が平行に維持したまま運搬され、設置面に案内されるので、フィルタ装置の取り付け及び取り外しが容易である。
【００３０】
また、本発明のフィルタ装置の製造方法は、網目を有する金網の一方向の両側端部に、前記一方向に交わる交差方向に延在する補強部材を重ね合わせ、前記金網と前記補強部材とを接合する補強工程と、前記補強部材が接合された前記金網に対して、前記一方向に延在する山部と谷部とを、前記交差方向に亘って交互に形成することで、波形状のフィルタ濾材を成形する成形工程と、前記フィルタ濾材を囲うように枠材を配置する枠材配置工程と、前記フィルタ濾材と前記枠材との当接部に接着剤を充填して、前記フィルタ濾材と前記枠材とを接着固定する接着工程と、を有することを特徴とする。
【００３１】
この構成によれば、フィルタ濾材及び補強部材の剛性によって波形状を維持するため、フィルタ濾材と枠材との当接部のみに接着剤を使用するだけでよく、接着剤の使用量を最小限に抑えることができ、大幅な軽量化が可能となる。これにより、フィルタ装置の運搬及び交換作業が容易となり、作業時間を短縮できる。また、金網に補強部材を接合してから波形状のフィルタ濾材に成形するため、補強部材の接合が容易である。また、フィルタ濾材及び補強部材の剛性によって波形状を維持するため、波形状を型崩れさせることなく、枠材に位置決めすることが可能である。また、接着剤の使用量の抑制、作業時間の短縮、製造工程の簡略化によってコストを低減できる。
【００３２】
また、前記枠材配置工程より前に、前記枠材の前記当接部に溝を加工する溝加工工程を有し、前記枠材配置工程では、前記フィルタ濾材を前記枠材の前記溝に挿し込み、前記接着工程では、前記溝に前記接着剤を充填することが好ましい。
【００３３】
この構成によれば、フィルタ濾材を枠材に接着固定する際の位置決めを容易にすることが可能である。また、フィルタ濾材と枠材との間に接着剤を適切に充填できることから、溝（当接部）以外への接着剤の充填を省くことができ、より軽量化を図ることが可能である。
【００３４】
また、前記一方向に延在する柱面形状の凸部と凹部とを、前記交差方向に亘って交互に有する波形状の雄治具と、前記雄治具の前記凸部及び凹部に係合する凹部及び凸部を有する雌治具とを備え、前記成形工程では、前記雄治具と前記雌治具との間に前記金網を挟んで、前記雄治具を前記雌治具に押圧することによって、前記フィルタ濾材を成形することが好ましい。
【００３５】
この構成によれば、フィルタ濾材を波形状に成形する際に、フィルタ濾材が傷つかないようにすることができる。また、成形工程が一度のプレスでなされるため、製造工程が簡略化できる。また、フィルタ濾材を均一な波形状に成形することができる。
【００３６】
また、前記一方向に延在する山部と谷部とを、前記交差方向に亘って交互に有する波形状の雄治具と、前記雄治具の前記凸部及び凹部に係合する凹部及び凸部を有する雌治具と、前記雄治具及び前記雌治具の凸部に柱面を有する棒状部材を備え、前記成形工程では、前記雄治具と前記雌治具との間に前記金網を挟んで、前記雄治具を前記雌治具に押圧することによって、前記フィルタ濾材を成形し、前記棒状部材が、前記フィルタ濾材の前記山部及び前記谷部が外側に突出する突出方向の内側に固着されることが好ましい。
【００３７】
この構成によれば、フィルタ濾材を波形状に成形する際に、フィルタ濾材が傷つかないようにすることができる。また、成形工程が一度のプレスでなされるため、製造工程が簡略化できる。また、フィルタ濾材を均一な波形状に成形することができる。また、棒状部材によってフィルタ濾材の波形状を好適に維持することができる。
【図面の簡単な説明】
【００３８】
【図１】図１は、本実施形態のフィルタ装置を示す概略斜視図である。
【図２】図２は、本実施形態のフィルタ装置の正面図である。
【図３】図３は、図２におけるＸ−Ｘ断面図である。
【図４】図４は、図３におけるＡ部分詳細図である。
【図５】図５は、図２におけるＹ−Ｙ断面図である。
【図６】図６は、図５におけるＢ部分詳細図である。
【図７】図７は、本実施形態のフィルタ装置が設置される設置面周辺の床面を示す概略平面図である。
【図８】図８は、本実施形態のフィルタ装置の製造方法を示すフローチャートである。
【図９】図９は、本実施形態のフィルタ装置の製造方法を示す説明図である。
【図１０】図１０は、本実施形態のフィルタ装置の製造方法を示す説明図である。
【図１１】図１１は、本実施形態のフィルタ装置の製造方法を示す説明図である。
【図１２】図１２は、本実施形態のフィルタ装置の製造方法を示す説明図である。
【発明を実施するための形態】
【００３９】
以下に、本発明に係るフィルタ装置の実施形態について図面に基づいて詳細に説明する。なお、この実施形態によりこの発明が限定されるものではない。また、下記実施形態における構成要素には、当業者が置換可能かつ容易なもの、あるいは実質的に同一のものが含まれる。さらに、以下に記載した構成要素は適宜組み合わせることが可能である。なお、以下の実施形態の説明において、同一構成には同一符号を付し、異なる構成には異なる符号を付すものとする。
【００４０】
［実施形態］
図１から図６を用いて、本実施形態のフィルタ装置の概略構成を説明する。図１は、本実施形態のフィルタ装置を示す概略斜視図である。図２は、本実施形態のフィルタ装置の正面図である。図３は、図２におけるＸ−Ｘ断面図である。図４は、図３におけるＡ部分詳細図である。図５は、図２におけるＹ−Ｙ断面図である。図６は、図５におけるＢ部分詳細図である。
【００４１】
本実施形態のフィルタ装置１０は、例えば、外気を取り込む吸気口に設置されるものであり、外気中に含まれる塵埃を捕捉し除去するものである。なお、フィルタ装置１０は、吸気口を有する設備であれば、取り付ける対象物を特に限定しない。
【００４２】
図１から図６に示すように、フィルタ装置１０は、フィルタ濾材２０と、補強部材３０と、枠材４０と、接着剤５０と、シール材６０と、棒状部材７０と、キャスター８０と、を有する。
【００４３】
フィルタ濾材２０は、一方向（以下、高さ方向と称する）に延在する山部と谷部とが、一方向に交わる交差方向（以下、長さ方向と称する）に亘って交互に形成された波形状である。フィルタ濾材２０の波形状は、平面視において連続したＶ字状となるよう形成される。フィルタ濾材２０は、金網で形成されている。金網は、例えば、金属の線材が格子状に編まれたものである。フィルタ濾材２０は、後述する補強部材３０のメッシュ数より大きいメッシュ数、すなわち、網目が細かい金網で形成されている。フィルタ濾材２０には、軽量且つ海塩耐食性材料を用いることが好ましく、例えば、ＳＵＳ３１６Ｌ、チタン（Ｔｉ）、ハステロイ等を用いることができる。フィルタ濾材２０は、その表裏面が同等の機能を有することから、外気が流通する流通方向において、表裏面のいずれの面が上流側又は下流側になるように配置されても構わない。
【００４４】
補強部材３０は、フィルタ濾材２０の高さ方向の両端部に一対設けられている。すなわち、一対の補強部材３０，３０は、その一方の補強部材３０が、フィルタ濾材２０の高さ方向の一方側の側端部２１（図１の上端部）に設けられ、その他方の補強部材３０が、フィルタ濾材２０の高さ方向の他方側の側端部２１（図１の下端部）に設けられている。この補強部材３０は、フィルタ濾材２０の表面又は裏面を覆うように重ね合わされ、長さ方向に延在する帯状の部材となっている。
【００４５】
補強部材３０の高さ方向の長さは、例えば、１０ｍｍ以上３０ｍｍ以下である。補強部材３０は、フィルタ濾材２０の面形状に沿った形状、すなわちフィルタ濾材２０と同様に、高さ方向に延在する山部と谷部とが長さ方向に亘って交互に形成された波形状である。補強部材３０は、フィルタ濾材２０の表面又は裏面を覆うように重ね合わされ、接合されている（図９のステップＳ１及び図１２のステップＳ８参照）。補強部材３０は、フィルタ濾材２０に対して、スポット溶接によって接合されている。補強部材３０のスポット溶接は、例えば、千鳥状にピッチ５ｍｍ以上１５ｍｍ以下で行われることが好ましい。補強部材３０がフィルタ濾材２０の側端部２１に接合されていることによって、フィルタ濾材２０は、補強され、剛性が増大する。すなわち、フィルタ濾材２０の波形状は、フィルタ濾材２０自体の剛性と補強部材３０の剛性とによって維持される。補強部材３０は、フィルタ濾材２０よりも剛性が高い材料で形成されている。補強部材３０は、フィルタ濾材２０のメッシュ数より小さいメッシュ数である粗目の金網で形成されていることが好ましいが、金属等の板材でも構わない。補強部材３０は、例えば、１００メッシュ以上の網目を有する金網である。補強部材３０には、軽量且つ海塩耐食性材料を用いることが好ましく、例えば、ＳＵＳ３１６Ｌ、チタン（Ｔｉ）、ハステロイ等を用いることができる。補強部材３０の材料は、フィルタ濾材２０の材料と同様であってもよく、異なっていてもよい。
【００４６】
枠材４０は、正面視で矩形をなしている。枠材４０は、水平方向（横方向）に延びる一対の横枠４１，４１と、垂直方向（縦方向）に延びて一対の横枠４１，４１を上下方向に接続する一対の縦枠４２，４２と、を有する。枠材４０には、海塩耐食性材料を用いることが好ましく、例えば、ＳＵＳ３０４等のステンレス鋼を用いることができる。一対の横枠４１，４１と一対の縦枠４２，４２とに囲まれた開口部４３は、フィルタ装置１０において空気が流通する流通方向の上流側及び下流側に開口している。すなわち、枠材４０の開口方向は、外気の流通方向と同一方向である。フィルタ装置１０を対象物に取り付ける際には、枠材４０が対象物に対して隙間なく取り付けられるため、空気は開口部４３のみを通過する。開口部４３は、全体をフィルタ濾材２０によって覆われている。フィルタ濾材２０及び補強部材３０は、高さ方向の端部である側端部２１において横枠４１の内側に当接する。フィルタ濾材２０及び補強部材３０は、長さ方向の端部である始終端部２２において縦枠４２の内側に当接する。
【００４７】
横枠４１の内側の面、すなわち、下側の横枠４１の上面と上側の横枠４１の下面とには、平面視において連続したＶ字状であって、フィルタ濾材２０及び補強部材３０の側端部２１の形状に沿った形状の溝４４を有する。溝４４の深さは、例えば、０．５ｍｍ以上２ｍｍ以下である。溝４４の幅は、フィルタ濾材２０及び補強部材３０の厚みより若干大きい。溝４４には、フィルタ濾材２０及び補強部材３０の側端部２１が挿し込まれている。すなわち、枠材４０は、下側の横枠４１の上面に形成された溝４４と、上側の横枠４１の下面に形成された溝４４とが、フィルタ濾材２０を挟み込むよう形成されている。
【００４８】
溝４４は、接着剤５０が充填されている。すなわち、フィルタ濾材２０及び補強部材３０の側端部２１と横枠４１との当接部は、接着剤５０によって接着固定されている。接着剤５０は、フィルタ濾材２０及び補強部材３０の側端部２１と横枠４１との間から空気が漏出しないように密封するシール機能を有する。接着剤５０は、フィルタ濾材２０及び補強部材３０と横枠４１との当接部のみに塗布されている。
【００４９】
なお、本実施形態においては、横枠４１の内側の面に溝４４を形成し、溝４４内にフィルタ濾材２０の側端部２１に位置決めしたが、溝４４は、形成されなくてもよく、側端部２１の位置決め方法はどのようなものであってもよい。本実施形態のフィルタ濾材２０は、フィルタ濾材２０自体の剛性と補強部材３０の剛性とによって波形状を維持される、すなわち、フィルタ濾材２０は、例えば、平らな面上であっても自立可能なので、溝４４によって側端部２１を固定する必要はない。したがって、溝４４によってフィルタ濾材２０の側端部２１を支持しなくても、フィルタ濾材２０の側端部２１と横枠４１との当接部のみに接着剤５０を塗布することが可能である。
【００５０】
フィルタ濾材２０及び補強部材３０の始終端部２２は、枠材４０の縦枠４２に溶接されている。または、フィルタ濾材２０及び補強部材３０の始終端部２２は、枠材４０の縦枠４２にカシメ加工によって固定されてもよい。フィルタ濾材２０及び補強部材３０の始終端部２２を、枠材４０の縦枠４２に溶接又はカシメ加工によって固定することにより、フィルタ濾材２０の剛性を向上させることができる。フィルタ濾材２０及び補強部材３０の始終端部２２と縦枠４２とは、例えば、接着剤５０によって、空気が漏出しないように密封されている。
【００５１】
枠材４０の開口方向のいずれか一方の面は、フィルタ装置１０が設置される設置面９５（図７参照）と面合わせする。設置面９５は、フィルタ装置１０を取り付ける対象物の吸気口の上流端面である。本実施形態において、設置面９５は、垂直平面である。フィルタ装置１０は、設置面９５との密着性を高めるため、枠材４０の設置面９５に対向する面を覆うシール材６０を有することが好ましい。本実施形態において、図１に示すように、フィルタ装置１０は、枠材４０の開口方向の両面にシール材６０を有する。シール材６０は、例えば、ガスケットである。
【００５２】
図３から図６に示すように、フィルタ装置１０は、フィルタ濾材２０の波形状の山部及び谷部が外側に突出する突出方向の内側に当接して設けられる棒状部材７０を有してもよい。棒状部材７０は、例えば、ホットメルトである。棒状部材７０の長さは、フィルタ濾材２０の高さ方向の長さに略一致する。補強部材３０が接合される面側に棒状部材７０が設けられる場合、棒状部材７０は、フィルタ濾材２０及び補強部材３０に固着されている。補強部材３０が接合されない面側に棒状部材７０が設けられる場合、棒状部材７０は、フィルタ濾材２０に固着されている。棒状部材７０のフィルタ濾材２０に当接する面は、フィルタ濾材２０の山部及び谷部の内側の形状に沿う柱面７１として形成されている。本実施形態において、棒状部材７０は、円形断面を有する円柱形状であるが、円弧形又は半円形の断面を有してもよい。棒状部材７０は、中実であってもよいし、中空であってもよい。棒状部材７０の断面が、円形かつ中実であればフィルタ濾材２０の剛性が最も向上し、円弧形かつ中空であれば最も軽量化に寄与する。
【００５３】
棒状部材７０を有する場合、横枠４１の溝４４は、山部及び谷部の内側の形状が棒状部材７０の端面形状に沿った形状を有する。図５及び図６に示すように、横枠４１の内側の面に、保持板７５を有してもよい。この場合、溝４４は、保持板７５に形成されている。
【００５４】
フィルタ装置１０は、枠材４０の下側の横枠４１の下面に、図２及び図６に示すようなキャスター８０を有してもよい。キャスター８０は、例えば、ボールキャスターである。本実施形態においては、キャスター８０が２つずつ２列に４つ設けられているが、キャスター８０の数及び位置はこれに限定されるものでなく、フィルタ装置１０の重量及び寸法に応じて、フィルタ装置１０が自立する範囲で自由に設けて構わない。キャスター８０を設けることによって、フィルタ装置１０の交換時にフィルタ装置１０の運搬が容易となる。
【００５５】
次に、図７を用いて、フィルタ装置の交換方法について説明する。より詳しくは、フィルタ装置１０を取り付ける対象物までの運搬方法について説明する。図７は、本実施形態のフィルタ装置が設置される設置面周辺の床面を示す概略平面図である。なお、以下の説明において、フィルタ装置１０は、キャスター８０を２つずつ２列に４つ有する。また、フィルタ装置１０を取り付ける対象物の隣接する２つの設置面９５に対し、２つのフィルタ装置１０を取り付けるものとする。また、フィルタ装置１０を取り付ける対象物の設置面９５は、図７において、フィルタ装置１０の運搬経路の床面９０に対して上方に位置するものとする。
【００５６】
設置面９５は、フィルタ装置１０を取り付ける対象物の吸気口の上流端面である。フィルタ装置１０のシール材６０（図１）は、設置面９５に面合わせされて設置される。すなわち、フィルタ装置１０は、シール材６０が設けられた面が、図７における上方に向いて設置される。したがって、設置面９５は、フィルタ装置１０の開口方向の端面に平行である。床面９０は、左右に２列ずつの４つの案内レール９１を有する。１つの案内レール９１は、１つの第１レール９２と、２つの第２レール９３とを有する。第１レール９２は、設置面９５に対して平行に形成される。第２レール９３は、第１レール９２から分岐して設けられ、設置面９５側とフィルタ装置１０が対向する方向に延びる。フィルタ装置１０が床面９０上を運搬される際、キャスター８０は、案内レール９１に係合し、案内レール９１に沿って移動する。フィルタ装置１０が設置される際に、キャスター８０は、第２レール９３の端部（図７における上端部）に位置する。すなわち、１つの案内レール９１内では、２つのキャスター８０が移動する。案内レール９１をキャスター８０が移動する際、フィルタ装置１０の開口方向の端面は、常に設置面９５に対して平行である。
【００５７】
次に、図８から図１２を用いて、フィルタ装置の製造方法について説明する。図８は、本実施形態のフィルタ装置の製造方法を示すフローチャートである。図９から図１２は、本実施形態のフィルタ装置の製造方法を示す説明図である。図８に示すステップＳ１からＳ９は、図９から図１２に示すステップＳ１からＳ９に対応する。なお、以下では、作業者の作業として説明するが、加工装置や搬送装置を用いて自動で作業を行うようにしてもよい。
【００５８】
まず、作業者は、図９に示すステップＳ１からＳ３において、一対の補強用金網３００，３００によって濾材用金網２００の補強を行う（ステップＳ１からＳ３：補強工程）。濾材用金網２００は、金属の線材が格子状に編まれた矩形の金網である。補強部材３０は、濾材用金網２００のメッシュ数より大きいメッシュ数、すなわち、網目が細かい矩形の金網である。濾材用金網２００と補強用金網３００との長手方向の長さは略同一である。補強用金網３００の短手方向の長さは、濾材用金網２００の短手方向の長さよりも小さい。すなわち、補強用金網３００は、帯状形状である。
【００５９】
まず、作業者は、ステップＳ１に示すように、濾材用金網２００の一方の面に補強用金網３００，３００を重ね合わせる。この際、濾材用金網２００の長手方向の辺である側端部２１と補強用金網３００の長手方向の一方の辺とを位置合わせする。同様に、濾材用金網２００の短手方向の辺である始終端部２２と補強用金網３００の短手方向の辺とを位置合わせする。
【００６０】
次に、作業者は、ステップＳ２において、補強用金網３００を濾材用金網２００にスポット溶接する。補強用金網３００の短手方向の長さが、例えば、１０ｍｍ以上３０ｍｍ以下の場合、溶接部ＳＷのピッチは、例えば、千鳥状に５ｍｍ以上１５ｍｍ以下である。
【００６１】
以上の補強工程により、補強用金網３００が濾材用金網２００に接合され、濾材用金網２００の側端部２１は補強される（ステップＳ３）。この際、補強用金網３００に、濾材用金網２００のメッシュ数よりも大きいメッシュ数の粗い金網を用いることによって、濾材用金網２００の通気性を損なわずに補強することが可能である。
【００６２】
次に、作業者は、図１０に示すステップＳ４からＳ５において、補強用金網３００が接合された濾材用金網２００を、波形状のフィルタ濾材２０に成形する（ステップＳ４からＳ５：成形工程）。ステップＳ４に示す雄治具１００は、一方向に延在する柱面形状の凸部と凹部とを、一方向に交差する交差方向に亘って交互に有する波形状の型材である。雌治具１１０は、一方向に延在する柱面形状の凸部と凹部とを、一方向に交差する交差方向に亘って交互に有する波形状の型材である。雄治具１００の凸部が雌治具１１０の凹部に係合し、雄治具１００の凹部が雌治具１１０の凸部に係合する。雄治具１００の凸部と雌治具１１０の凸部とは同一形状である。雄治具１００の凹部と雌治具１１０の凹部とは同一形状である。
【００６３】
雄治具１００は、凸部に円柱形状の棒状部材７０を有する。雌治具１１０は、凸部に円柱形状の棒状部材７０を有する。棒状部材７０の軸線は、雄治具１００及び雌治具１１０の凸部及び凹部が延在する方向に平行である。本実施形態において、棒状部材７０は、円形断面を有する円柱形状であるが、円弧形又は半円形の断面を有してもよい。棒状部材７０は、中実であってもよいし、中空であってもよい。
【００６４】
まず、作業者は、ステップＳ４に示すように、雄治具１００と雌治具１１０との間に、補強用金網３００が接合された濾材用金網２００を配置する。この際、濾材用金網２００の長手方向、すなわち側端部２１の方向と、雄治具１００及び雌治具１１０の凸部及び凹部が延在する方向とが直交するようにする。
【００６５】
次に、作業者は、雄治具１００を雌治具１１０に対して押圧する。濾材用金網２００及び補強用金網３００は、雄治具１００と雌治具１１０とに挟まれて波形状のフィルタ濾材２０及び補強部材３０に成形される（ステップＳ５）。すなわち、雄治具１００の凹部と雌治具１１０の凸部とによって、フィルタ濾材２０及び補強部材３０の山部が成形される。雄治具１００の凸部と雌治具１１０の凹部とによって、フィルタ濾材２０及び補強部材３０の谷部が成形される。この際、棒状部材７０が、フィルタ濾材２０及び補強部材３０の山部及び谷部の内側に入り込んで固着される。
【００６６】
以上の成形工程により、濾材用金網２００及び補強用金網３００は、波形状のフィルタ濾材２０及び補強部材３０に成形される。なお、本実施形態においては、棒状部材７０が、雄治具１００及び雌治具１１０から分離して、フィルタ濾材２０及び補強部材３０に固着する構成であるが、棒状部材７０が雄治具１００及び雌治具１１０に一体化するもの、すなわち、雄治具１００及び雌治具１１０の凸部が柱面形状に形成されるものであっても構わない。
【００６７】
次に、作業者は、図１１のステップＳ６からＳ７において、フィルタ濾材２０を囲うように枠材４０を配置する（ステップＳ６：溝加工工程、ステップＳ７：枠材配置工程）。ステップＳ７に示すように、枠材４０は、水平方向（横方向）に延びる一対の横枠４１，４１と、垂直方向（縦方向）に延びて一対の横枠４１，４１を上下方向に接続する一対の縦枠４２，４２と、に分割されている。
【００６８】
まず、作業者は、ステップＳ６に示すように、枠材４０の横枠４１の内側の面に溝４４を加工する。溝４４の加工方法は、例えば、エッジング加工である。溝４４は、連続したＶ字状であって、補強部材３０が接合されたフィルタ濾材２０の側端部２１の形状に沿った形状である。溝４４の深さは、例えば、０．５ｍｍ以上２ｍｍ以下である。溝４４の幅は、フィルタ濾材２０及び補強部材３０の厚みより若干大きい。溝４４の底部の内側には、棒状部材７０の端部形状に沿った形状の凹部を有する。本実施形態において、棒状部材７０は円柱形状なので、凹部の形状は円である。なお、本実施形態において、ステップＳ６に示す溝加工工程を、フィルタ濾材２０の成形工程より後に行っているが、それより前に行っても構わない。フィルタ濾材２０は、予め決定された設計値に基づいて、雄治具１００及び雌治具１１０によって成形されるため、この設計値に基づいて溝４４の形状を決定し、予め溝加工工程を行うことも可能である。
【００６９】
次に、作業者は、ステップＳ７に示すように、補強部材３０が接合されたフィルタ濾材２０の側端部２１を横枠４１の溝４４に挿し込む。この際、溝４４の形状は、フィルタ濾材２０の側端部２１の形状に沿うものであり、フィルタ濾材２０は、フィルタ濾材２０及び補強部材３０の剛性によって波形状を維持するため、作業者は、フィルタ濾材２０を型崩れさせることなく、側端部２１を横枠４１の溝４４に容易に挿し込むことができる。
【００７０】
以上の溝加工工程及び枠材配置工程により、フィルタ濾材２０は、枠材４０の横枠４１に位置決めされる。なお、本実施形態においては、横枠４１の内側の面に溝４４を形成し、溝４４内にフィルタ濾材２０の側端部２１に位置決めしたが、溝４４は、形成されなくてもよく、側端部２１の位置決め方法はどのようなものであってもよい。本実施形態のフィルタ濾材２０は、フィルタ濾材２０及び補強部材３０の剛性によって波形状を維持される、すなわち、フィルタ濾材２０は、平らな面上であっても自立するので、溝４４によって側端部２１を固定する必要はない。
【００７１】
次に、作業者は、図１２のステップＳ８において、枠材４０にフィルタ濾材２０及び補強部材３０を接着剤５０によって接着固定する（ステップＳ８：接着工程）。本実施形態においては、横枠４１の溝４４内に補強部材３０が接合されたフィルタ濾材２０の側端部２１が挿し込まれて位置決めされている。作業者は、溝４４を接着剤５０によって充填することによって、横枠４１とフィルタ濾材２０及び補強部材３０とを接着固定する。なお、ステップＳ６の溝加工工程を行わない場合は、フィルタ濾材２０の側端部２１と横枠４１との当接部に接着剤５０を充填する。本実施形態のフィルタ濾材２０は、補強部材３０によって波形状を維持されるので、フィルタ濾材２０及び補強部材３０の側端部２１と横枠４１との当接部のみに接着剤５０を充填することが可能である。
【００７２】
作業者は、フィルタ濾材２０と一対の横枠４１，４１及び一対の縦枠４２，４２とを接着固定し、且つ一対の横枠４１，４１及び一対の縦枠４２，４２を枠材４０に組み立てることにより、ステップＳ９に示すようなフィルタ装置１０を得る。なお、フィルタ濾材２０と一対の縦枠４２，４２との固定方法は特に限定されない。例えば、接着剤５０によって接着固定してもよく、フィルタ濾材２０と一対の縦枠４２，４２との間から空気が漏出しないように密封されればよい。さらに、フィルタ濾材２０の長さ方向の端部である始終端部２２を、枠材４０の縦枠４２に溶接してもよい。または、フィルタ濾材２０の始終端部２２を、枠材４０の縦枠４２にカシメ加工によって固定してもよい。
【００７３】
本実施形態のように、溝４４にフィルタ濾材２０の側端部２１を挿し込む様態の場合は、枠材配置工程の後に枠材４０を組み立てる必要がある。溝４４を形成せず、横枠４１の内面を平らな面とする様態の場合は、既に組み立てられた枠材４０に対し、開口部４３からフィルタ濾材２０及び補強部材３０を嵌め込んで位置決めを行うことも可能である。
【００７４】
以上のように、本実施形態のフィルタ装置１０によれば、フィルタ濾材２０及び補強部材３０の剛性によって波形状を維持するため、フィルタ濾材２０と枠材４０との当接部のみに接着剤５０を使用するだけでよく、接着剤５０の使用量を最小限に抑えることができ、大幅な軽量化が可能となる。これにより、フィルタ装置１０の運搬及び交換作業が容易となり、作業時間を短縮できる。また、接着剤５０の使用量を抑制し作業時間を短縮することによってコストを低減できる。さらに、フィルタ濾材２０に金網を適用することにより、フィルタ濾材２０が目詰まりした場合に、エアブロー、振動及び加振により、付着物を落下させることが容易であり、再利用が可能である。
【００７５】
また、枠材４０のフィルタ濾材２０との当接部に溝４４を設けることによって、フィルタ濾材２０を枠材４０に接着固定する際の位置決めを容易にすることが可能である。また、フィルタ濾材２０と枠材４０との間に接着剤５０を適切に充填できることから、溝４４（当接部）以外への接着剤５０の充填を省くことができ、より軽量化を図ることが可能である。
【００７６】
また、補強部材３０にフィルタ濾材２０よりも粗目の網目を有する金網を適用することによって、板材を使用する場合に比べ、さらに軽量化することが可能である。また、補強部材３０においても流体が通過可能となる。さらに、網目の粗い金網とすることで、線径の太い線材を用いて金網を構成できるため、補強部材３０を、フィルタ濾材２０よりも剛性の高いものにすることができる。
【００７７】
また、補強部材３０に１００メッシュ以上の網目を有する金網を適用することによって、補強部材３０によってフィルタ濾材２０の波形状を好適に維持することができる。
【００７８】
また、棒状部材７０によってフィルタ濾材２０の波形状を好適に維持することができる。また、フィルタ濾材２０を波形状に成形する際に、フィルタ濾材２０を均一な波形状に成形することができる。
【００７９】
また、棒状部材７０のフィルタ濾材２０との当接面を柱面７１とすることによって、フィルタ濾材２０を波形状に成形する際に、フィルタ濾材２０が傷つかないようにすることができる。
【００８０】
また、フィルタ濾材２０の始終端部２２が枠材４０に溶接されることによって、フィルタ濾材２０の剛性を向上させることができる。
【００８１】
また、フィルタ濾材２０の始終端部２２が枠材４０にカシメ加工によって固定されることによって、フィルタ濾材２０の剛性を向上させることができる。
【００８２】
また、枠材４０の開口方向の両面にシール材６０を備えることによって、フィルタ装置１０が設置される対象物の設置面９５に対していずれの面であっても装着可能であり、また、本実施形態のフィルタ濾材２０は、その表裏面が同等の機能を有することから、空気が流通する流通方向において、表裏面のいずれの面が上流側又は下流側になっても配置できる。また、一方のシール材６０が破損した際に、他方のシール材６０を使用することができるので、シール材６０の損傷リスクを低減することが可能である。また、取り付け時の人為的なミスによる不具合を防止できる。
【００８３】
また、枠材４０の下面にキャスター８０を備えることによって、フィルタ装置１０の交換時にフィルタ装置１０の運搬が容易となる。
【００８４】
また、本実施形態のフィルタ装置１０の交換方法によれば、フィルタ装置１０の運搬がさらに容易となる。
【００８５】
また、案内レール９１が、設置面９５に対して平行な第１レール９２と、設置面９５とフィルタ装置１０とが対向する方向に延びる第２レール９３とを有することによって、フィルタ装置１０の設置面９５に対してフィルタ装置１０の開口方向の端面が平行に維持したまま運搬され、設置面９５に案内されるので、フィルタ装置１０の取り付け及び取り外しが容易である。
【００８６】
また、本実施形態のフィルタ装置１０の製造方法によれば、フィルタ濾材２０及び補強部材３０の剛性によって波形状を維持するため、フィルタ濾材２０と枠材４０との当接部のみに接着剤５０を使用するだけでよく、接着剤５０の使用量を最小限に抑えることができ、大幅な軽量化が可能となる。これにより、フィルタ装置１０の運搬及び交換作業が容易となり、作業時間を短縮できる。また、濾材用金網２００に補強用金網３００を接合してから波形状のフィルタ濾材２０に成形するため、補強部材３０の接合が容易である。また、フィルタ濾材２０及び補強部材３０の剛性によって波形状を維持するため、波形状を型崩れさせることなく、枠材４０に位置決めすることが可能である。また、接着剤５０の使用量の抑制、作業時間の短縮、製造工程の簡略化によってコストを低減できる。
【００８７】
また、枠材配置工程より前に、枠材４０に溝４４を加工する溝加工工程を有することによって、フィルタ濾材２０を枠材４０に接着固定する際の位置決めを容易にすることが可能である。また、フィルタ濾材２０と枠材４０との間に接着剤５０を適切に充填できることから、溝４４（当接部）以外への接着剤５０の充填を省くことができ、より軽量化を図ることが可能である。
【００８８】
また、フィルタ濾材２０を波形状に成形する際に、柱面形状の山部と谷部とを有する波形状の雄治具１００と雌治具１１０との間に挟んで、雄治具１００を雌治具１１０に押圧することによって、フィルタ濾材２０が傷つかないようにすることができる。また、成形工程が一度のプレスでなされるため、製造工程が簡略化できる。また、フィルタ濾材２０を均一な波形状に成形することができる。
【００８９】
また、フィルタ濾材２０を波形状に成形する際に、柱面形状を有する棒状部材７０を備える山部と谷部とを有する波形状の雄治具１００と雌治具１１０との間に挟んで、雄治具１００を雌治具１１０に押圧することによって成形し、且つ棒状部材７０がフィルタ濾材２０の山部及び谷部の内側に固着されることによって、フィルタ濾材２０が傷つかないようにすることができる。また、成形工程が一度のプレスでなされるため、製造工程が簡略化できる。また、フィルタ濾材２０を均一な波形状に成形することができる。また、棒状部材７０によってフィルタ濾材２０の波形状を好適に維持することができる。
【符号の説明】
【００９０】
１０  フィルタ装置
２０  フィルタ濾材
２１  側端部
２２  始終端部
３０  補強部材
４０  枠材
４１  横枠
４２  縦枠
４３  開口部
４４  溝
５０  接着剤
６０  シール材
７０  棒状部材
７１  柱面
７５  保持板
８０  キャスター
９０  床面
９１  案内レール
９２  第１レール
９３  第２レール
９５  設置面
１００  雄治具
１１０  雌治具
２００  濾材用金網
３００  補強用金網
【図１】
2019136626.tif 000003
【図２】
2019136626.tif 000004
【図３】
2019136626.tif 000005
【図４】
2019136626.tif 000006
【図５】
2019136626.tif 000007
【図６】
2019136626.tif 000008
【図７】
2019136626.tif 000009
【図８】
2019136626.tif 000010
【図９】
2019136626.tif 000011
【図１０】
2019136626.tif 000012
【図１１】
2019136626.tif 000013
【図１２】
2019136626.tif 000014
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
網目を有する金網に、一方向に延在する山部と谷部とが、前記一方向に交わる交差方向に亘って交互に形成された波形状のフィルタ濾材と、
前記フィルタ濾材の前記一方向の両側端部に重ね合わせて接合され、前記交差方向に延在して設けられる補強部材と、
前記フィルタ濾材を囲う枠材と、
前記フィルタ濾材と前記枠材との当接部を接着固定する接着剤と、を備えるフィルタ装置。
【請求項２】
前記枠材は、前記フィルタ濾材との前記当接部に形成される溝を有する請求項１に記載のフィルタ装置。
【請求項３】
前記補強部材は、前記フィルタ濾材よりも粗目の網目を有する金網である請求項１又は２に記載のフィルタ装置。
【請求項４】
前記補強部材の前記網目は、１００メッシュ以上である請求項３に記載のフィルタ装置。
【請求項５】
前記フィルタ濾材の前記山部及び前記谷部の形状に沿って前記一方向に延在して設けられ、前記山部及び前記谷部が外側に突出する突出方向の内側に当接して設けられる棒状部材を、さらに備える請求項１から４のいずれか一項に記載のフィルタ装置。
【請求項６】
前記棒状部材は、前記フィルタ濾材の前記山部及び前記谷部と当接する当接面が柱面となっている請求項５に記載のフィルタ装置。
【請求項７】
前記フィルタ濾材の前記交差方向の両側端部は、前記枠材の前記一方向に延びる部分に溶接されている請求項１から６のいずれか一項に記載のフィルタ装置。
【請求項８】
前記フィルタ濾材の前記交差方向の両側端部は、前記枠材の前記一方向に延びる部分にカシメ加工によって固定されている請求項１から６のいずれか一項に記載のフィルタ装置。
【請求項９】
前記枠材の開口方向の両面にシール材を備える請求項１から８のいずれか一項に記載のフィルタ装置。
【請求項１０】
前記枠材の下面に設けられたキャスターを、さらに有する請求項１から９のいずれか一項に記載のフィルタ装置。
【請求項１１】
請求項１０に記載のフィルタ装置の交換方法であって、
前記フィルタ装置の運搬経路の床面には、前記キャスターに係合する案内レールが予め設けられており、
前記案内レールに前記キャスターを係合させ、前記案内レールに沿って前記キャスターを移動させることによって前記フィルタ装置を運搬する工程を含むフィルタ装置の交換方法。
【請求項１２】
前記案内レールは、前記フィルタ装置が設置される設置面に対して平行な第１レールと、前記第１レールから分岐して設けられ、前記設置面と前記フィルタ装置とが対向する方向に延びる第２レールと、を有する請求項１１に記載のフィルタ装置の交換方法。
【請求項１３】
網目を有する金網の一方向の両側端部に、前記一方向に交わる交差方向に延在する補強部材を重ね合わせ、前記金網と前記補強部材とを接合する補強工程と、
前記補強部材が接合された前記金網に対して、前記一方向に延在する山部と谷部とを、前記交差方向に亘って交互に形成することで、波形状のフィルタ濾材を成形する成形工程と、
前記フィルタ濾材を囲うように枠材を配置する枠材配置工程と、
前記フィルタ濾材と前記枠材との当接部に接着剤を使用して、前記フィルタ濾材と前記枠材とを接着固定する接着工程と、を有するフィルタ装置の製造方法。
【請求項１４】
前記枠材配置工程より前に、前記枠材の前記当接部に溝を加工する溝加工工程を有し、
前記枠材配置工程では、前記フィルタ濾材を前記枠材の前記溝に挿し込み、
前記接着工程では、前記溝に前記接着剤を充填する請求項１３に記載のフィルタ装置の製造方法。
【請求項１５】
前記一方向に延在する柱面形状の凸部と凹部とを、前記交差方向に亘って交互に有する波形状の雄治具と、前記雄治具の前記凸部及び凹部に係合する凹部及び凸部を有する雌治具とを備え、
前記成形工程では、前記雄治具と前記雌治具との間に前記金網を挟んで、前記雄治具を前記雌治具に押圧することによって、前記フィルタ濾材を成形する請求項１３又は１４に記載のフィルタ装置の製造方法。
【請求項１６】
前記一方向に延在する凸部と凹部とを、前記交差方向に亘って交互に有する波形状の雄治具と、前記雄治具の前記凸部及び凹部に係合する凹部及び凸部を有する雌治具と、前記雄治具及び前記雌治具の凸部に柱面を有する棒状部材を備え、
前記成形工程では、前記雄治具と前記雌治具との間に前記金網を挟んで、前記雄治具を前記雌治具に押圧することによって、前記フィルタ濾材を成形し、前記棒状部材が、前記フィルタ濾材の前記山部及び前記谷部が外側に突出する突出方向の内側に固着される請求項１３又は１４に記載のフィルタ装置の製造方法。